(57)【要約】【課題】本体内部に設けられた吸込室の内面を容易に清潔に保つことができる吸込口体を提供すること。【解決手段】本体ケース（本体）２１の底面２１Ｃに開口する吸込室２２が内部に設けられた吸込口体２０であって、吸込室２２の内面を着脱自在なカバーケース３０によって覆った。【選択図】  図２
2004344268.tif 000002
【特許請求の範囲】
【請求項１】
本体の底面に開口する吸込室が内部に設けられた吸込口体であって、
前記吸込室は、内面が着脱自在なカバーケースによって覆われていることを特徴とする吸込口体。
【請求項２】
請求項１に記載の吸込口体において、前記カバーケースは前記本体の底面も覆っていることを特徴とする吸込口体。
【請求項３】
請求項１または請求項２に記載の吸込口体を有することを特徴とする電気掃除機。
【発明の詳細な説明】
【０００１】
【発明の属する技術分野】
この発明は、内部に吸込室が設けられた吸込口体及びこれを有する電気掃除機に関するものである。
【０００２】
【従来の技術】
従来の電気掃除機として、図７（ａ）に示すようなものが知られている（例えば、特許文献１参照）。
【０００３】
この電気掃除機１は、電動送風機２Ａが内蔵された掃除機本体２と、この掃除機本体２に吸込ホース３を介して連通する吸込口体４とを備えている。
【０００４】
また、吸込口体４は、図７（ｂ）に示すように、底面４Ａに開口した吸込開口５Ａを有する吸込室５が内部に形成されている。さらに、この吸込口体４の底面４Ａには、カバー６が着脱自在に取り付けられている。
【０００５】
そして、このカバー６は、吸込開口５Ａの周囲である吸込口体４の底面４Ａを覆う共に、吸込口体４の側面も一体に覆っている。
【０００６】
このような吸込口体４を床面上で移動させながら掃除を行う場合には、カバー６によって吸込口体４に床面上の塵埃が付着することを防止していた。
【０００７】
【特許文献１】
特開平１１−０８９７６１号公報
【０００８】
【発明が解決しようとする課題】
ところで、上述の電気掃除機１では、吸込口体４の底面４Ａ及び側面のみがカバー６で覆われているので、塵埃が吸い込まれる吸込室５の内面は保護されておらず、この吸込室５の内面に塵埃が付着したり、傷がついたりしていた。
【０００９】
また、吸込口体４内に設けられたモータ等の駆動機構によって回転する回転清掃体７が吸込室５内に配設されている場合では、この吸込口体４を水洗いすることが困難で、吸込室５内を十分に清潔にすることが難しいという問題が生じていた。
【００１０】
この発明は、上記問題に鑑みてなされたもので、本体内部に設けられた吸込室の内面を容易に清潔に保つことができる吸込口体を提供することを目的としている。
【００１１】
【課題を解決するための手段】
上記課題を解決するために、この発明の吸込口体は、本体の底面に開口する吸込室が内部に設けられ、吸込室は、内面が着脱自在なカバーケースによって覆われていることを特徴としている。
【００１２】
この発明によれば、本体の内部に設けられた吸込室の内面が、着脱自在なカバーケースによって覆われているので、カバーケースを外して洗浄することによって吸込室内を容易に清潔に保つことができる。
【００１３】
また、吸込室の内面に塵埃が付着したり、硬質な塵埃がぶつかったりしてもカバーケースによって保護されているので、吸込室の内面が傷つくことを防止できる。また、塵埃がぶつかって生じる騒音をカバーケースによって抑制することもできる。
【００１４】
さらに、モータ等の駆動機構によって回転可能な回転清掃体が吸込室内に配設されている場合であっても、カバーケースを取り外して洗浄することで吸込室の内面を清潔にすることが可能であり、容易に清潔に保つことができる。
【００１５】
【発明の実施の形態】
以下、図面に基づいてこの発明の実施の形態を説明する。
【００１６】
図１に示す１０は電気掃除機であり、この電気掃除機１０は掃除機本体１１を備えている。そして、この掃除機本体１１の前部には可撓性を有する集塵ホース１２の一端が着脱自在に装着され、集塵ホース１２の他端には手元操作管１３が取り付けられている。さらに、手元操作管１３には延長管１４が着脱自在に装着され、延長管１４の先端には接続管１５を介して吸込口体２０が着脱自在に装着されている。
【００１７】
掃除機本体１１の内部には、図示しない集塵室に配設された紙パックフィルタ等の集塵袋１６が装着されており、集塵ホース１２、手元操作管１３、延長管１４、接続管１５を順に介して吸込口体２０の内部に連通している。また、この集塵袋１６の後方には、集塵室内に吸込負圧を作用させる電動送風機１７が配設されている。
【００１８】
また、手元操作管１３には操作パネル１８が設けられ、操作パネル１８には電動送風機１７を駆動させたり、吸込風量を調節したりするスイッチ等が設けられている。
【００１９】
吸込口体２０は、図２に示すように、下部ケース２１Ａと、この下部ケースの上側に結合される上部ケース２１Ｂ等とから構成される中空の本体ケース（本体）２１を有している。
【００２０】
本体ケース２１の内部には、長手方向に延びる吸込室２２が形成されており、接続管１５はこの吸込室２２内に連通している。
【００２１】
吸込室２２は、本体ケース２１の下部ケース２１Ａの底面２１Ｃに開口した吸込開口２３が形成されると共に、後壁２２Ａに接続管１５の先端１５Ａに対向する風路開口２４が形成されている。また、この吸込室２２内には、図２及び図３に示すように、カバーケース３０が着脱自在に装着されている。
【００２２】
カバーケース３０は、吸込室２２の内面２２Ｂにほぼ沿って湾曲しており、後壁２２Ａを含む内面２２Ｂの全体を覆っている。また、このカバーケース３０には、吸込開口２３に対応した底部開口３１と、風路開口２４に対応した後部開口３２とが形成されている。
【００２３】
そして、このカバーケース３０は硬質の合成樹脂等により構成され、床面Ｍ上の塵埃等で傷ついたり、汚れたりしにくく、且つ、水洗いが可能となっている。
【００２４】
また、後部開口３２の下側には、長手方向に沿って摺動して出没する一対の係止爪３３Ａ、３３Ｂが設けられている。
【００２５】
この係止爪３３Ａ、３３Ｂは、図４（ａ）に示すように、互いに離反する方向（矢印Ｘ）に向かって摺動した際にカバーケース３０から突出する。そして、図４（ｂ）に示すように、この係止爪３３Ａ、３３Ｂは互いに近接する方向（矢印Ｙ）に向かって摺動した際にカバーケース３０内に収納される。
【００２６】
また、カバーケース３０の底部開口３１の周縁部には、吸込開口２３の周縁部に引っ掛けられる複数の爪３４が適宜設けられている。そして、カバーケース３０が吸込室２２内に嵌着された際に、各爪３４は下部ケース２１Ａに引っ掛かって固定されるようになっている。
【００２７】
一方、下部ケース２１Ａには、一対の係止爪３３Ａ、３３Ｂが突出した際にそれぞれが挿入係合する一対の係止穴２５Ａ、２５Ｂが形成されている（図４参照）。また、各爪３４が引っ掛かる引掛部（図示せず）も適宜形成されている。
【００２８】
さらに、この下部ケース２１Ａには、図示しないネジ等で底面２１Ｃに固定される係止蓋２６が設けられている。この係止蓋２６は、吸込室２２内に配設される回転清掃体（図示せず）を着脱するためのものであり、下部ケース２１Ａに固定された際に底面２１Ｃと面一になるように形成されている。
【００２９】
次に、この電気掃除機１０の作用について説明する。
【００３０】
この電気掃除機１０を使用するには、あらかじめ吸込口体２０の吸込室２２内にカバーケース３０を装着しておく。このカバーケース３０を装着するには、まず、一対の係止爪３３Ａ、３３Ｂをカバーケース３０内に収納した状態（図４（ｂ）参照）で吸込室２２内に挿入する。そして、複数の爪３４がそれぞれ図示しない引掛部に引っ掛けられると共に、カバーケース３０が所定位置に挿入されたら、係止爪３３Ａ、３３Ｂをそれぞれ摺動して突出させる。これにより、係止爪３３Ａ、３３Ｂが係止穴２５Ａ、２５Ｂ内にそれぞれ挿入されて係合する（図４（ａ）参照）。
【００３１】
このように吸込室２２内にカバーケース３０を装着したら、手元操作管１３の操作パネル１８に設けられたスイッチを操作して電動送風機１７を駆動させ、集塵室内に吸込負圧を作用させる。
【００３２】
集塵室内に作用した吸込負圧は、集塵袋１６、吸込ホース１２、手元操作管１３、延長管１４、接続管１５を順に介して吸込口体２０内の吸込室２２に作用する。
【００３３】
そして、このように吸込室２２内に吸込負圧が作用した状態で吸込口体２０を移動させると、床面Ｍ上の塵埃が吸込開口２３から吸い込まれ、風路開口２４、接続管１５、延長管１４、手元操作管１３、吸込ホース１２を順に通って集塵袋１６内に捕集される。
【００３４】
ここで、吸込室２２内に吸い込まれた塵埃のほとんどは、吸込室２２の内面２２Ｂに沿って連通開口２４にまで移動する。このとき、吸込室２２の内面２２Ｂがカバーケース３０によって覆われているので、吸い込まれた塵埃が吸込室２２の内面２２Ｂに直接接触することがない。そのため、吸込室２２の内面２２Ｂは常に清潔にしておくことができると共に、吸込室２２の内面２２Ｂが傷つくことを防止できる。
【００３５】
また、塵埃が直接接触するカバーケース３０は、吸込室２２内に着脱自在に装着されているので、カバーケース３０が汚れた場合は適宜外して、水洗い等の洗浄を十分に行うことが容易にできる。そのため、吸込室２２内を容易に清潔に保つことができる。
【００３６】
さらに、カバーケース３０に塵埃が接触しても接触音が発生しないような材質、例えば軟質合成樹脂等で構成されている場合であれば、硬質な塵埃（ガラス破片、砂等）が接触しても騒音を抑制することができる。
【００３７】
以上、この発明にかかる実施の形態の一つを図面により詳述してきたが、具体的な構成は上述の実施の形態に限らない。この発明の要旨を逸脱しない範囲の設計の変更等はこの発明に含まれる。
【００３８】
例えば、図５及び図６に示すように、カバーケース４０が吸込室２２及び下部ケース２１Ｂの底面２１Ｃの全体を一体に覆っていてもよい。
【００３９】
この場合、カバーケース４０には図示しない車輪や、図示しないネジ等に対応した開口４１Ａが適宜形成されると共に、吸込開口２３に対応した底部開口４１が形成されている。さらに、吸込室２２の後壁２２Ａに沿う起立壁４２Ａには、下部ケース２１Ａの風路開口２４に対応する後部開口４２が形成されている。
【００４０】
そして、カバーケース４０と上部ケース２１Ｂとで下部ケース２１Ａを挟み込むように重ね合わせて、本体ケース２１が形成される。
【００４１】
このように、床面Ｍに対向する下部ケース２１Ａの底面２１Ｃがカバーケース４０によって覆われているので、下部ケース２１Ａが床面Ｍに直接接することがなくなる。
【００４２】
そのため、下部ケース２１Ａの底面２１Ｃに塵埃が付着することを防止すると共に、カバーケース４０に汚れが付着した場合は随時取り外して洗浄することができる。
【００４３】
また、材質の異なるカバーケース４０を床面Ｍの状態に応じて使い分けることが可能となり、吸込口体２０の底面２１Ｃを、掃除を行う床面Ｍに適した状態に容易に変更することができる。
【００４４】
【発明の効果】
この発明によれば、本体内部に設けられた吸込室の内面を容易に清潔に保つことができる吸込口体を提供することができる。
【図面の簡単な説明】
【図１】この発明に係る電気掃除機の全体斜視図である。
【図２】図１におけるＡ−Ａ断面図である。
【図３】吸込口体を裏面側から見た場合の分解斜視図である。
【図４】（ａ）カバーケースの係止爪を係合させた場合の断面図である。
（ｂ）カバーケースの係止爪を外した場合の断面図である。
【図５】この発明に係る吸込口体の第二実施例を示す分解斜視図である。
【図６】図５に示す吸込口体を裏面側から見た場合の分解斜視図である。
【図７】（ａ）従来の電気掃除機の全体斜視図である。
（ｂ）従来の吸込口体を裏面側から見た場合の斜視図である。
【符号の説明】
２０        吸込口体
２１        本体（本体ケース）
２１Ｃ      底面
３０        光線照射装置
４０        検知手段
Ｍ          床面
【図１】
2004344268.tif 000003
【図２】
2004344268.tif 000004
【図３】
2004344268.tif 000005
【図４】
2004344268.tif 000006
【図５】
2004344268.tif 000007
【図６】
2004344268.tif 000008
【図７】
2004344268.tif 000009